(57)【要約】【課題】より効率良く糸屑を捕獲することのできる糸屑捕集具及びそれを備えた洗濯機を提供する。【解決手段】洗濯兼脱水槽４に取り付ける糸屑捕集具１であって、通水性を有し糸屑を捕集する袋状の糸屑捕集フィルター８と、該糸屑捕集フィルター８の開口部に糸屑の逆流を防止する通水性を有する逆止フィルター１０とを備えたことを特徴とする。【選択図】図２
2006006506.tif 000002
【特許請求の範囲】
【請求項１】
洗濯槽に取り付ける糸屑捕集具であって、通水性を有し糸屑を捕集する袋状の糸屑捕集フィルターと、該糸屑捕集フィルターの開口部に糸屑の逆流を防止する通水性を有する逆止フィルターとを備えたことを特徴とする糸屑捕集具。
【請求項２】
前記糸屑捕集フィルターと逆止フィルターとを支持する枠体が設けられ、該枠体が洗濯槽の内面に着脱自在に支持されることを特徴とする請求項１に記載の糸屑捕集具。
【請求項３】
前記枠体が、洗濯槽の周方向へ回動自在とされたことを特徴とする請求項２に記載の糸屑捕集具。
【請求項４】
前記枠体が、糸屑捕集フィルターの開口縁を取り付ける捕集枠体と、前記逆止フィルターを取り付ける逆止枠体とを有し、前記捕集枠体と逆止枠体とを係脱自在に係止する係止手段が設けられたことを特徴とする請求項２又は３に記載の糸屑捕集具。
【請求項５】
前記捕集枠体および逆止枠体のうち、いずれか一方が前記洗濯槽の内面に着脱自在に支持されることを特徴とする請求項４に記載の糸屑捕集具。
【請求項６】
開口を有するフィルター素材からなる袋体が途中から内側に折り曲げられることにより、その閉塞側が前記糸屑捕集フィルターとされ、開口側が逆止フィルターとされたことを特徴とする請求項１に記載の糸屑捕集具。
【請求項７】
前記袋体の折曲部が枠体で支持され、該枠体が洗濯槽の内面に着脱自在で、かつ洗濯槽の周方向へ回動自在とされたことを特徴とする請求項６に記載の糸屑捕集具。
【請求項８】
前記袋体が枠体に着脱自在に支持されたことを特徴とする請求項７に記載の糸屑捕集具。
【請求項９】
前記袋体が伸縮性を有するフィルター素材から構成され、逆止フィルターの奥側開口が折曲部に形成される開口よりも小口径とされたことを特徴とする請求項６、７又は８に記載の糸屑捕集具。
【請求項１０】
請求項１〜９のいずれか一項に記載の糸屑捕集具を備えたことを特徴とする洗濯機。
【発明の詳細な説明】
【技術分野】
【０００１】
本発明は、洗濯槽内の糸屑を高率よく捕獲し、かつ逆流を防止することのできる糸屑捕集具及びそれを備えた洗濯機に関するものである。
【背景技術】
【０００２】
洗濯槽内を浮遊する糸屑を捕集する糸屑捕集具を備えた洗濯機が、特許文献１に開示されている。図９はその洗濯機の側面断面図、図１０は同じく洗濯機の主要部分の拡大横断面図、図１１は同じく洗濯機の主要部分の分解斜視図である。図９〜図１１に示すように、特許文献１記載の糸屑捕集具２８は、網袋からなる１つのフィルター２９と、そのフィルターの口部を縁取る枠体３０とから構成され、枠体３０の下部中央及び上部中央に突出形成された軸部３１を、洗濯槽３２内面に固定されたフィルター取付台３３の軸孔３３ａに嵌合することにより、その軸部３１を中心として左右揺動可能に取り付けられる。
【０００３】
図１０に示すように、洗濯槽３２内の洗濯水が糸屑捕集具２８の近傍で矢印Ｙ方向に流れる場合には、その水流によりフィルターは軸部３１を中心として反時計方向に回転させられて、フィルター２９の開口が水流の上流側に開口し、洗濯槽３２内を流れる洗濯水及び糸屑をフィルター２９内に取り込むことができる。したがって、水流の向きに関係なく、糸屑を捕獲することができる。
【０００４】
しかしながら、上記の糸屑捕集具２８は、フィルター２９の開口が常に開放しているので、水位、水流、フィルター２９等の状態によって、一度捕獲した糸屑がフィルター２９外へ逆流してしまうという不具合があった。
そこで、フィルター２９の開口を覆うように弾力性ゴム扉が設けられた糸屑捕集具２８が特許文献２に記載されている。洗濯水の水流による水圧でゴム扉が開き、水と共に糸屑がフィルター内に流入する。フィルター２９内に捕獲された糸屑はゴム扉により、フィルター２９外に流出しない。
【０００５】
【特許文献１】特開平７−１８５１９２号公報（段落０００１７参照）
【特許文献２】実開平４−１１６９７８号公報（「考案の詳細な説明」参照）
【発明の開示】
【発明が解決しようとする課題】
【０００６】
しかしながら、ゴム扉を開けるには大きな水圧が必要であり、弱い水流による小さな水圧ではゴム扉を開けることができず、十分に糸屑を捕獲することができなかった。
【０００７】
本発明は、上記課題に鑑み、より効率良く糸屑を捕獲することのできる糸屑捕集具の提供を目的としている。
【課題を解決するための手段】
【０００８】
上記目的を達成するため、本発明は、洗濯槽に取り付ける糸屑捕集具であって、通水性を有し糸屑を捕集する袋状の糸屑捕集フィルターと、該糸屑捕集フィルターの開口部に糸屑の逆流を防止する通水性を有する逆止フィルターとを備えたことを特徴とする糸屑捕集具である。糸屑防止フィルターの糸屑の逆流を防止する構造は、通水性を有するフィルターからなるので、水圧に対する抵抗が少ない。したがって、簡単に糸屑防止フィルター内に水流と共に糸屑を流入させることができ、効率良く糸屑を捕獲することができる。そして、一度糸屑防止フィルター内に捕獲された糸屑は、糸屑防止フィルターの開口に設けられた逆止フィルターによって制限されるので、逆流を防止することができる。
【０００９】
逆止フィルターの形状は、通水性を有すると共に、糸屑の逆流を防止することができれば限定されるものではないが、糸屑防止フィルターの開口部側と、奥側とが開口した筒状に形成するのが好ましく、さらには、奥側の開口を開口部側の開口よりも小径にするのが好ましい。一度、逆止フィルターを通過して、糸屑捕集フィルター内に捕集された糸屑が、再び逆止フィルターを通って糸屑捕集フィルター外へ流出させにくくすることができる。なお、糸屑捕集フィルター及び逆止フィルターの素材は、それぞれ同一とするのが好ましい。
【００１０】
糸屑捕集具を洗濯機に固定する場合は、糸屑捕集フィルターと逆止フィルターとを支持する枠体を設け、枠体を、洗濯槽の内面に着脱自在に支持されるのが好ましい。。枠体を設けることにより、フィルターの開口形状を保形することができる。また、枠体を洗濯槽から取り外し可能とすることにより、簡単にフィルター内を清掃することができる。また、枠体を、洗濯の周方向へ回動自在に設けるのが好ましい。枠体が洗濯槽の周方向へ回動自在に設けられているので、フィルターの開口を常に洗濯槽の水流の上流側へ向けることができ、洗濯水とともに糸屑を糸屑捕集フィルター内へ導くことができる。なお、洗濯槽とは、洗濯兼脱水槽を含む概念である。
【００１１】
枠体は、１つの枠体で糸屑捕集フィルター及び逆止フィルターの両フィルターを支持する態様としてもよいが、枠体を、糸屑捕集フィルターの開口縁を取り付ける捕集枠体と、逆止フィルターを取り付ける逆止枠体とから構成し、捕集枠体と逆止枠体とを係脱自在に係止する係止手段を設ける構成が好ましい。糸屑捕集フィルターと逆止フィルターとを分離させることにより、糸屑防止フィルター及び逆止フィルターの清掃がしやすくなる。係止手段としては、限定されるものではないが、捕集枠体及び逆止枠体のうちのいずれか一方にツメを設け、他方にこれを係止可能な孔又は凹部を設ける構成が例示される。このように、枠体を捕集枠体と逆止枠体とから構成する場合は、捕集枠体および逆止枠体のうち、いずれか一方が洗濯槽の内面に着脱自在で、かつ洗濯槽の周方向へ回動自在に支持されるようにすればよい。
【００１２】
また、上記では、糸屑防止フィルターと逆止フィルターとを別個の部材にする態様としたが、糸屑防止フィルターと逆止フィルターとを一体的に形成する態様としてもよい。すなわち、開口を有するフィルター素材からなる袋体を途中から内側に折り曲げることにより、その閉塞側を糸屑捕集フィルターとし、開口側を逆止フィルターとする構成である。すなわち、袋体の折り曲げ点から外側に位置する部分が糸屑捕集フィルターとなり、袋体の折り曲げ点から内側に折り曲げられた部分が逆止フィルターとなる。この構成によれば、簡単に糸屑捕集具を製造することができるとともに、部品点数を減らすことができる。
【００１３】
袋体の折曲部は枠体で支持され、枠体が洗濯槽の内面に着脱自在で、かつ洗濯槽の周方向へ回動自在とされる。枠体を洗濯槽から取り外すことにより、簡単にフィルター内を清掃することができる。また、枠体が洗濯槽の周方向へ回動自在に設けられているので、フィルターの開口を洗濯槽の水流の上流側へ向けることができる。
【００１４】
袋体は、枠体に着脱自在に支持されるのが好ましい。枠体から袋体を取り外すことにより、フィルター内の清掃がさらにしやすくなる。
【００１５】
逆止フィルターの奥側開口は、折曲部の折り曲げ点に形成される開口よりも小口径とするのが好ましい。その手段としては、袋体を伸縮性を有するフィルター素材から構成すればよい。袋体の伸縮性により、逆止フィルターの奥側の開口端が縮まるので、奥側開口の口径が小さくなる。このように、奥側開口が小さいので、一度、逆止フィルターを通過して糸屑捕集フィルター内に捕集された糸屑が、再び逆止フィルターをとおって糸屑捕集フィルター外へ流出しにくくなる。また、もともとの袋体の形状を、折曲部から奥側開口に向ってすぼむように形成することにより、奥側開口を小口径とするようにしていてもよい。
【発明の効果】
【００１６】
本発明によると、糸屑防止フィルターの糸屑の逆流を防止する構造は、通水性を有するフィルターからなるので、水圧に対する抵抗が少ない。したがって、簡単に糸屑防止フィルター内に水流と共に糸屑を流入させることができ、効率良く糸屑を捕獲することができる。
【発明を実施するための最良の形態】
【００１７】
以下、本発明の実施形態を図面に基づいて説明する。
【００１８】
＜第１の実施形態＞
図１は本実施形態の洗濯機の側面断面略図、図２は糸屑捕集具を分解した状態を示す側面図、図３は糸屑捕集具を分解した状態を示す横断面図、図４は洗濯兼脱水槽内面に設けられた糸屑捕集具の正面図である。なお、図２において捕集具取付台のみ断面図で示している。
【００１９】
本実施形態の洗濯機は、糸屑捕集具１を備えた洗濯機であって、詳しくは、図１に示すように、洗濯機本体２と、洗濯機本体２内に釣り下げ手段（不図示）で弾性的に支持された水槽３と、水槽３内に水平回転できるように槽軸４ａで支持された洗濯兼脱水槽４と、洗濯兼脱水槽４の内面に設けられた捕集具取付台５と、捕集具取付台５に着脱自在に固定された糸屑捕集具１と、洗濯兼脱水槽４内に水平回転できるようにパルセータ軸６ａに支持されたパルセータ６と、水槽３の下部に設けられた洗濯モータ７ａとを備えている。洗濯モータ７ａは、その駆動力をクラッチ機能付減速機構７ｂを介して、脱水時には槽軸４ａに、洗濯時にはパルセータ軸６ａに選択的に伝達する。
【００２０】
図２及び図３に示すように、糸屑捕集具１は、通水性を有し糸屑を捕集する袋状の糸屑捕集フィルター８と、糸屑捕集フィルター８の開口縁に取り付けられた合成樹脂製で環状の捕集枠体９と、糸屑捕集フィルター８の開口部に設けられ、糸屑の逆流を防止する通水性を有する逆止フィルター１０と、逆止フィルター１０の開口縁に取り付けられた合成樹脂製の逆止枠体１１とから構成される。捕集枠体９の内面に逆止枠体１１が係止手段１２ａ、１２ｂにより着脱自在に固定とされることにより、捕集枠体９と逆止枠体１１とが係止された状態の場合は、糸屑捕集フィルター８内に逆止フィルター１０が配され、捕集枠体９と逆止枠体１１との係止状態が外された場合は、糸屑捕集フィルター８と逆止フィルター１０とが分離される。
【００２１】
糸屑捕集フィルター８は、目の細かい網目状のフィルター素材により袋状に形成される。なお、糸屑捕集フィルター８としては、網体の他、通水性を有する織布又は不織布を採用することができる。糸屑捕集フィルター８の素材としては、ナイロンが使用されるが、その他の合成樹脂、天然繊維、金属、非金属、複合材等を使用することができる。なお、これに限定されるものではない。
【００２２】
逆止フィルター１０は、目の細かい網目状のフィルター素材により、開口部側開口１０ａと奥側開口１０ｂとを有する筒状に形成される。逆止フィルター１０は、伸縮性のあるものが使用される。逆止フィルター１０の開口部側開口１０ａ縁は、逆止枠体１１により支持されているので、支持されていない奥側開口１０ｂに向かうほど縮みが大きくなり、口径が小さくなる。このように、奥側開口１０ｂが開口部側開口１０ａよりも小径とされるので、一度、逆止フィルター１０を通過して、糸屑捕集フィルター８内に捕集された糸屑が、再び逆止フィルター１０を通って糸屑捕集フィルター８外へ流出させにくくすることができる。
【００２３】
なお、逆止フィルター１０の素材を伸縮性のあるものにするのではなく、逆止フィルター１０自体の形状を、開口部側開口１０ａから奥側開口１０ｂに向かうほどすぼむような略ひし形形状に形成してもよい。
【００２４】
逆止フィルター１０としては、網体の他、通水性を有する織布又は不織布を採用することができる。逆止フィルター１０の素材としては、ナイロンが使用されるが、その他の合成樹脂、天然繊維、金属、非金属、複合材等を使用することができる。なお、これに限定されるものではない。また、逆止フィルター１０の素材を糸屑捕集フィルター８と同じにすれば、コストを削減することができるので好ましい。
【００２５】
捕集枠体９及び逆止枠体１１には、互いを係脱自在に係止する係止手段１２ａ、１２ｂが設けられる。本実施形態においては、逆止枠体１１の環状部分である係合部１３の外面の上部と下部に凸状のツメ１２ａが設けられ、捕集枠体９のツメ１２ａと対向する位置に係止孔１２ｂが形成される。ツメ１２ａと係止孔１２ｂとを嵌合させることにより、捕集枠体９と逆止枠体１１とを係合させることができる。また、簡単に取り外すこともできる。なお、これとは逆に、捕集枠体９の内面に凸状のツメを設け、逆止枠体１１に係止孔を形成してもよい。また、本実施形態においては、捕集枠体９は環状であるが、捕集枠体９及び逆止枠体１１は、互いを係脱自在に係止できる構造であればよく、Ｕ字状や、環状若しくは多角形状又はそれらの一部が欠落した形状等であっても構わない。
【００２６】
また、逆止枠体１１は、係合部１３の上面において、その逆止フィルター１０と反対側の端から上方へ突出した後、前後に１往復蛇行するようにして延びる上方延長板１４と、係合部１３の下面において、その逆止フィルター１０と反対側の端から下方へ突出した後、前後に１往復蛇行するようにして延びる下方延長板１６とが形成される。
【００２７】
上方延長板１４の最上板１５及び下方延長板１６の最下板１７の逆止フィルター１０と反対側の端は、その中央部分を中心として山状に逆止フィルター１０と反対方向に延出している。この山状の中心に、それぞれ上方及び下方に突出する軸部１８が形成される。軸部１８は後述する捕集具取付台５の軸孔２１ａ及び溝２０ａに着脱自在に嵌合されるが、軸部１８が最上板１５及び最下板１７の山状に突出した部分に形成されているので、糸屑捕集具１を洗濯兼脱水槽４の周方向へ回動自在とすることができる。
【００２８】
捕集具取付台５は、板状の取付台本体１９と、取付台本体１９の上端及び下端から洗濯兼脱水槽４の軸側へ突出する上固定部２０及び下固定部２１とから構成され、洗濯兼脱水槽４の内面にネジ等の固定手段（図示せず）で固定される。上固定部２０には、その下面に洗濯兼脱水槽４の半径方向に延びる溝２０ａが形成され、下固定部２１には軸孔２１ａが形成される。下固定部２１の軸孔２１ａに、逆止枠体１１の下方の軸部１８を挿入し、上固定部２０の溝２０ａに逆止枠体１１の上方の軸部１８をはめ込むことにより、逆止枠体１１が捕集具取付台５に軸支される。なお、逆止枠体１１をはめ込む際には、上方延長板１４及び下方延長板１６の蛇行した形状がクッションのような作用を示すので、簡単に取り付けることができる。また、図４に示すように、取付台本体１９には、その左右端（洗濯兼脱水槽４の周方向端）から糸屑捕集フィルター８の取付位置にかけて、左右方向（洗濯兼脱水槽４の周方向）に沿って複数の隆起した流動リブ２２が略等間隔に一体成形される。この隣接する流動リブ２２間が導水路２２ａとして作用し、洗濯兼脱水槽４内の水を流動リブ２２に沿って糸屑捕集フィルター８へ導くことができる。
【００２９】
上記構成において、糸屑捕集具１は、糸屑捕集フィルター８の内側に逆止フィルター１０を配し、捕集枠体９に形成された係止孔１２ｂに、逆止枠体１１の係合部１３の外面に形成されツメ１２ａとを嵌合させることにより、組み立てられる。このように組み立てられた糸屑捕集具１は、逆止枠体１１の下方の軸部１８を、捕集具取付台５の下固定部２１の軸孔２１ａに挿入し、逆止枠体１１の上方の軸部１８を、捕集具取付台５の上固定部２０の溝２０ａにはめ込むことにより、糸屑捕集具１を捕集具取付台５に固定される。固定された糸屑捕集具１は、逆止枠体１１の上方及び下方の軸部１８により軸回転可能に固定される。
【００３０】
洗濯時において洗濯兼脱水槽４内に水流が発生すると、糸屑捕集具１の側面が水流を受け、糸屑捕集具１はその開口を水流の上流側に向けるように軸回転する。大量の洗濯水が糸屑捕集フィルター８の開口に設けられた逆止フィルター１０を通って、糸屑捕集フィルター８内に流れ込む。この洗濯水とともに糸屑が流入し、糸屑捕集フィルター８内に捕獲される。捕獲された糸屑は、逆止フィルター１０により逆流しにくい。
【００３１】
また、糸屑捕集具１の清掃時には、糸屑捕集具１を捕集具取付台５から取り外し、糸屑捕集フィルター８の捕集枠体９と、逆止フィルター１０の逆止枠体１１との係合を取り外すことにより、糸屑捕集フィルター８と逆止フィルター１０とに分解することができ、容易に清掃を行うことができる。
【００３２】
＜第２の実施形態＞
図５は他の実施形態の洗濯機の糸屑捕集具の側面図、図６は同じく糸屑捕集具の製造工程を示す横断面図、図７は袋体の斜視図である。図５に示すように、本実施形態においては、糸屑捕集フィルター８と逆止フィルター１０とを一体的に形成したことを特徴とするものであり、その他の基本的な構成は上記第１の実施形態と同様である。
【００３３】
すなわち、図６に示すように、通水性を有し糸屑を捕集する、開口を有するフィルター素材からなる袋体が途中から内側に折り曲げられることにより、その閉塞側を糸屑捕集フィルター８とし、開口側を逆止フィルター１０とすることにより、糸屑捕集フィルター８と逆止フィルター１０とを一体形成する。すなわち、袋体の折り曲げ点から外側に位置する部分が糸屑捕集フィルター８となり、袋体の折り曲げ点から内側に折り曲げられた部分が逆止フィルター１０となる。簡単に製造することができ、部品点数も少なくなるので、コストダウンを図ることができる。
【００３４】
袋体は、目の細かい網目状のフィルター素材からなる。フィルターは目の細かい網目状のフィルター素材により袋状に形成される。なお、フィルターは、網体の他、通水性を有する織布又は不織布を採用することができる。フィルターの素材としては、ナイロンが使用されるが、その他の合成樹脂、天然繊維、金属、非金属、複合材等を使用することができる。なお、これに限定されるものではない。
【００３５】
さらに、フィルターは伸縮性を有するものが使用され、逆止フィルター１０の奥側開口１０ｂが折曲部２３に形成される開口１０ｃよりも小口径とされる。一度、逆止フィルター１０を通過して、糸屑捕集フィルター８内に捕集された糸屑が、再び逆止フィルター１０をとおって糸屑捕集フィルター８外へ流出させにくくすることができる。なお、図８に示すように、逆止フィルター１０の素材を伸縮性のあるものとするのではなく、袋対自体の形状を、折曲部２３から奥側開口１０ｂに向ってすぼまるように形成することにより、折曲部２３に形成される開口１０ｃを小口径とするようにしていてもよい。
【００３６】
図６及び図７に示すように、折曲部２３において、その折り曲げられた内面同士が、着脱可能な固定手段２４により固定される。固定手段２４としては特に限定されるものではなく、マジックテープ（登録商標）、スナップなどが挙げられるが、本実施形態においてはマジックテープが採用される。固定手段２４は、折曲部２３の内面であればいずれの位置に設けてもよいが、折曲部２３の折曲点に近い部分に設けるのが好ましい。逆止フィルター１０の閉塞側の端部が自由になり、糸屑捕集フィルター８の開口を塞ぐことができる。固定手段２４を取り外せば、簡単に袋体の清掃をすることができる。
【００３７】
袋体の折曲部２３は枠体２５で支持される。枠体２５は、合成樹脂製の環状体であり、袋体を折曲する際にその内側に配される。さらに、枠体２５は、折曲部２３の折曲点と固定手段２４との間に配される。この構成によると、袋体の折曲部２３は上記の固定手段２４により固定されるので、枠体２５も折曲部２３内に固定することができる。袋体の固定手段２４を取り外せば、枠体２５を取り外すことができるので、袋体の清掃がしやすい。
【００３８】
また、枠体２５は、上面及び下面からそれぞれ上方及び下方に突出した軸部２６が形成される。軸部２６は、その途中で、フィルター８、１０と反対方向に向けて折曲している。袋体の折曲部２３に軸部用貫通孔２７を形成し、その孔２７から軸部２６を突出させるようにすればよい。この軸部２６が、第１の実施形態と同じ構成の捕集具取付台５の軸孔２１ａ及び溝２０ａに嵌合されることにより、洗濯兼脱水槽４の内面に着脱自在で、かつ洗濯兼脱水槽４の周方向へ回動自在に支持される。
【００３９】
上記構成において、糸屑捕集具１は、袋体の途中から内側に折り曲げ、その折り曲げの内側に枠体２５を配置し、枠体２５の２つの軸部２６を袋体の軸部用貫通孔２７を通して袋体外へ突出させ、袋体の折曲部２３の内面同士を固定手段２４で固定することにより、組み立てられる。このようにして形成された糸屑捕集具１は、枠体２５の下方の軸部２６を、捕集具取付台５の下固定部２１の軸孔２１ａに挿入し、枠体２５の上方の軸部２６を、捕集具取付台５の上固定部２０の溝２０ａにはめ込むことにより、糸屑捕集具１を捕集具取付台５に固定される。固定された糸屑捕集具１は、枠体２５の上方及び下方の軸部２６により軸回転可能に固定される。
【００４０】
糸屑捕集具１の清掃時には、糸屑捕集具１を捕集具取付台５から取り外し、折曲部２３同士を固定する固定手段２４を外して、枠体２５を取り外すことにより、枠体２５と、１つの袋体とに分解することができるので、容易に清掃を行う事ができる。
【図面の簡単な説明】
【００４１】
【図１】本実施形態の洗濯機の側面断面略図
【図２】糸屑捕集具を分解した状態を示す側面図
【図３】糸屑捕集具を分解した状態を示す横断面図
【図４】洗濯兼脱水槽内面に設けられた糸屑捕集具の正面図
【図５】他の実施形態の洗濯機の糸屑捕集具の側面図
【図６】同じく糸屑捕集具の製造工程を示す横断面図
【図７】袋体の斜視図
【図８】他の実施形態の洗濯機の糸屑捕集具の製造工程を示す横断面図
【図９】従来の洗濯機の側面断面略図
【図１０】同じく洗濯機の主要部分の拡大横断面図
【図１１】同じく洗濯機の主要部分の分解斜視図
【符号の説明】
【００４２】
１      糸屑捕集具
４      洗濯兼脱水槽
５      捕集具取付台
８      糸屑捕集フィルター
９      捕集枠体
１０    逆止フィルター
１０ａ  開口部側開口
１０ｂ  奥側開口
１０ｃ  折曲部側に形成される開口
１１    逆止枠体
１２ａ  ツメ
１２ｂ  係止孔
１３    係合部
１８    軸部
２０    上固定部
２０ａ  溝
２１    下固定部
２１ａ  軸孔
２３    折曲部
２４    固定手段
２５    枠体
２６    軸部
２７    軸部用貫通孔
【図１】
2006006506.tif 000003
【図２】
2006006506.tif 000004
【図３】
2006006506.tif 000005
【図４】
2006006506.tif 000006
【図５】
2006006506.tif 000007
【図６】
2006006506.tif 000008
【図７】
2006006506.tif 000009
【図８】
2006006506.tif 000010
【図９】
2006006506.tif 000011
【図１０】
2006006506.tif 000012
【図１１】
2006006506.tif 000013